(57)【要約】【課題】  本発明は、従来にない作用効果を発揮する画期的なゴルフ場、公園若しくはスポーツ施設などの所定区域における排水装置を提供することを目的とする。【解決手段】  ゴルフ場、公園若しくはスポーツ施設などの所定区域における排水装置であって、水を導入して排水する排水管１が傾斜部位に設けられ、この排水管１は、該傾斜部位の傾斜方向に対して横断する状態で配設されるものである。【選択図】      図１
2005200855.tif 000002
【特許請求の範囲】
【請求項１】
ゴルフ場、公園若しくはスポーツ施設などの所定区域における排水装置であって、水を導入して排水する排水管が傾斜部位に設けられ、この排水管は、該傾斜部位の傾斜方向に対して横断する状態で配設されていることを特徴とするゴルフ場、公園若しくはスポーツ施設などの所定区域における排水装置。
【請求項２】
請求項１記載のゴルフ場、公園若しくはスポーツ施設などの所定区域における排水装置において、前記排水管は地中に埋設されて該地中の水分及び地表面の水分を導入して排水し得るように構成されていることを特徴とするゴルフ場、公園若しくはスポーツ施設などの所定区域における排水装置。
【請求項３】
請求項１，２いずれか１項に記載のゴルフ場、公園若しくはスポーツ施設などの所定区域における排水装置において、所定区域は緑地帯であることを特徴とするゴルフ場、公園若しくはスポーツ施設などの所定区域における排水装置。
【請求項４】
請求項１〜３いずれか１項に記載のゴルフ場、公園若しくはスポーツ施設などの所定区域における排水装置において、前記排水管は適宜間隔を介して並列状態に配設されていることを特徴とするゴルフ場、公園若しくはスポーツ施設などの所定区域における排水装置。
【請求項５】
請求項１〜４いずれか１項に記載のゴルフ場、公園若しくはスポーツ施設などの所定区域における排水装置において、前記排水管と連通する集水管が該排水管と直交する状態で設けられていることを特徴とするゴルフ場、公園若しくはスポーツ施設などの所定区域における排水装置。
【請求項６】
請求項１〜５いずれか１項に記載のゴルフ場、公園若しくはスポーツ施設などの所定区域における排水装置において、前記排水管には地中の水分及び地表面の水分を集水する面状の水分誘導部材が立設されていることを特徴とするゴルフ場、公園若しくはスポーツ施設などの所定区域における排水装置。
【請求項７】
請求項６記載のゴルフ場、公園若しくはスポーツ施設などの所定区域における排水装置において、前記水分誘導部材は、地表面付近位置まで立設されていることを特徴とするゴルフ場、公園若しくはスポーツ施設などの所定区域における排水装置。
【請求項８】
請求項６，７いずれか１項に記載のゴルフ場、公園若しくはスポーツ施設などの所定区域における排水装置において、前記水分誘導部材は排水管の全長にわたって立設されていることを特徴とするゴルフ場、公園若しくはスポーツ施設などの所定区域における排水装置。
【発明の詳細な説明】
【技術分野】
【０００１】
本発明は、ゴルフ場、公園若しくはスポーツ施設などの所定区域における排水装置に関するものである。
【背景技術】
【０００２】
ゴルフ場や公園やスポーツ施設などの緑地帯における例えば芝生の植生を良好な状態で維持する為には、土壌における三相分布（固相、気相、液相）の割合を固相５０％、気相２５％、液相２５％とすることが理想とされている。即ち、均一に安定した良好な状態での芝の植生を維持する為には、土壌の保水性と透水性のバランスが重要な役割を果たしている。
【０００３】
特に土壌に含有される水分（湿潤）は健全な芝の植生を維持する上で重要であり、病虫害、雑草の発生、生理障害等の発生に深く関係している。
【０００４】
ところで、土の粒径は、大きいものから、礫（粒径２ｍｍ以上）、粗砂（粒径２〜０．２ｍｍ）、細砂（粒径０．２〜０．０２ｍｍ）、シルト（粒径０．０２〜０．０００２ｍｍ）、粘土（粒径０．０００２より小）の順に区分され、前述した芝の植生上、最も良いとされている土壌の粒径は細砂とされている。
【０００５】
しかしながら、地層によって土の粒径は異なり、ほとんどの造成地では、シルト、粘土が多く、このシルトや粘土による造成地では、土壌中の水分が多過となる為、良好な排水が必要となるが、一般的には浸透排水が期待できず、降雨水を直ちに流すか（排水勾配を確保するか）、或いは、人為的に排水層（サンドマット）を形成して浸透排水させることなどが考えられている。しかし、実際にこれらを行おうとすれば緑地帯全体への大掛かりな工事となる為、コスト面に大きな問題点があり現実的ではない。
【０００６】
そこで、従来から、緑地帯に排水管を埋設して排水を行う排水装置（以下、従来装置）が提案されている。
【０００７】
この従来装置は、緑地帯に対し、水を導入して排水する複数の排水管32と、各排水管32で排水される水を集める集水管31とから成る排水構造体33を図６に図示したような状態（櫛歯式、魚骨式若しくは自然式と呼ばれている。）で地中に埋設している。具体的には、排水管32を余剰水が溜まっている箇所である排水不良箇所Ｗ（水分が飽和状態となっている箇所）に埋設し、該排水管32が埋設される部位及びその周辺の地中の水分（余剰水）を排水するとともに、地表面の水分も浸透排水させ、土壌中の水分量を良好にしようとするものである。符号34は集水枡部である。
【発明の開示】
【発明が解決しようとする課題】
【０００８】
ところが、この従来装置は、前述した通り、その存在が確認された排水不良箇所Ｗごとに排水管32を埋設するものである為、それだけ施工が厄介となり、しかも、管の本数が多く、長い長さが必要となるなどコスト面に問題点がある。
【０００９】
本発明者は、上述の問題点に着目し、種々の実験・研究を繰り返し行った結果、従来にない作用効果を発揮する画期的なゴルフ場、公園若しくはスポーツ施設などの所定区域における排水装置を開発した。
【課題を解決するための手段】
【００１０】
添付図面を参照して本発明の要旨を説明する。
【００１１】
ゴルフ場、公園若しくはスポーツ施設などの所定区域における排水装置であって、水を導入して排水する排水管１が傾斜部位に設けられ、この排水管１は、該傾斜部位の傾斜方向に対して横断する状態で配設されていることを特徴とするゴルフ場、公園若しくはスポーツ施設などの所定区域における排水装置に係るものである。
【００１２】
また、請求項１記載のゴルフ場、公園若しくはスポーツ施設などの所定区域における排水装置において、前記排水管１は地中に埋設されて該地中の水分及び地表面の水分を導入して排水し得るように構成されていることを特徴とするゴルフ場、公園若しくはスポーツ施設などの所定区域における排水装置に係るものである。
【００１３】
また、請求項１，２いずれか１項に記載のゴルフ場、公園若しくはスポーツ施設などの所定区域における排水装置において、所定区域は緑地帯であることを特徴とするゴルフ場、公園若しくはスポーツ施設などの所定区域における排水装置に係るものである。
【００１４】
また、請求項１〜３いずれか１項に記載のゴルフ場、公園若しくはスポーツ施設などの所定区域における排水装置において、前記排水管１は適宜間隔を介して並列状態に配設されていることを特徴とするゴルフ場、公園若しくはスポーツ施設などの所定区域における排水装置に係るものである。
【００１５】
また、請求項１〜４いずれか１項に記載のゴルフ場、公園若しくはスポーツ施設などの所定区域における排水装置において、前記排水管１と連通する集水管８が該排水管１と直交する状態で設けられていることを特徴とするゴルフ場、公園若しくはスポーツ施設などの所定区域における排水装置に係るものである。
【００１６】
また、請求項１〜５いずれか１項に記載のゴルフ場、公園若しくはスポーツ施設などの所定区域における排水装置において、前記排水管１には地中の水分及び地表面の水分を集水する面状の水分誘導部材２が立設されていることを特徴とするゴルフ場、公園若しくはスポーツ施設などの所定区域における排水装置に係るものである。
【００１７】
また、請求項６記載のゴルフ場、公園若しくはスポーツ施設などの所定区域における排水装置において、前記水分誘導部材２は、地表面付近位置まで立設されていることを特徴とするゴルフ場、公園若しくはスポーツ施設などの所定区域における排水装置に係るものである。
【００１８】
また、請求項６，７いずれか１項に記載のゴルフ場、公園若しくはスポーツ施設などの所定区域における排水装置において、前記水分誘導部材２は排水管１の全長にわたって立設されていることを特徴とするゴルフ場、公園若しくはスポーツ施設などの所定区域における排水装置に係るものである。
【発明の効果】
【００１９】
本発明は上述のように構成したから、前述した従来装置と異なり、例えば排水不良箇所を考慮せずに排水管を配設するだけで良いから極めて施工面に秀れることになり、しかも、従来装置に比して管の本数や長さを可及的に減らすことができてコスト面にも秀れることになり、更に、傾斜部位において流動する水を捕捉し易い構造、例えば排水管を並列状態とするときは、いずれかの排水管で水分を捕捉できる水分捕捉待ち受け構造であり、一本の排水管の場合は、例えば傾斜地の最も低い位置に配設することで水分を捕捉できる水分捕捉待ち受け構造であるため、良好な排水が達成されることになるなど従来にない作用効果を発揮する画期的なゴルフ場、公園若しくはスポーツ施設などの所定区域における排水装置となる。
【発明を実施するための最良の形態】
【００２０】
好適と考える本発明の実施形態を、本発明の作用を示して簡単に説明する。
【００２１】
本発明は、ゴルフ場、公園若しくはスポーツ施設などの所定区域における傾斜部位に水を導入して排水する排水管１を傾斜部位の傾斜方向に対して横断する状態で配設する。
【００２２】
このゴルフ場、公園若しくはスポーツ施設などの所定区域における傾斜部位を流れる水分（例えば余剰水）は、該水分が流れる方向に対して横断する状態で配設される排水管１に導入されることになり、よって、確実な排水が達成される。
【００２３】
従って、前述した従来装置と異なり、例えば排水不良箇所を考慮せずに排水管を配設するだけで良いから極めて施工面に秀れることになり、しかも、従来装置に比して管の本数や長さを可及的に減らすことができてコスト面にも秀れることになる。
【実施例】
【００２４】
本発明の具体的な実施例について図面に基づいて説明する。
【００２５】
本実施例は、ゴルフ場、公園若しくはスポーツ施設などの所定区域における排水装置である。
【００２６】
具体的には、図１，２に図示したように地中に埋設される排水構造体３を設けており、この排水構造体３は、集水管８と、該集水管８に略直交状態にして並列状態に連設する複数（３本）の排水管１とで構成されている。また、集水管８の下端部には集水枡部４が設けられている。
【００２７】
この集水管８及び排水管１は、適宜な合成樹脂製の部材を形成したものであり、周面に多数の通水孔（図示省略）が形成された有孔管（暗渠管）であり、この各孔から地中の水分が管内に導入されるように構成されている。
【００２８】
また、排水管１には地中の水分及び地表面の水分を集水する面状の水分誘導部材２が立設されている。
【００２９】
この水分誘導部材２は、図３に図示したように排水管１の周囲に巻回されて端部が立設状態となる帯状体５にシート体６を被覆した構造であり、排水管１の全長にわたって立設され、排水管１に巻回される巻回部２Ａと、該巻回部２Ａに連設され立設する面状部２Ｂとで構成されている。帯状体５は適宜な合成樹脂繊維を帯状に形成したものであり（例えば不織布）、シート体６は、適宜な通水性を有する樹脂製の部材で形成されている。
【００３０】
この水分誘導部材２は、排水管１を地中に埋設する際、面状部２Ｂが地表面位置若しくはその近傍位置まで配され、地表面の水分及び地表面から所定深さ位置までの地中を流れる水分（余剰水）を捕捉し、排水管１まで誘導する（シート体６を通過した後、帯状体５を伝って排水管１まで流下する。）。
【００３１】
従って、水分誘導部材２（面状部２Ｂ）の高さは、排水管１の埋設の深さを考慮して適宜設定する。
【００３２】
また、水分誘導部材２を構成する帯状体５は、水分（余剰水）を伝わせることで排水管１まで誘導する誘導機能とともにフィルター機能も発揮し、また、通水シート６は、シルト質の土が帯状体５へ侵入するのを防止して該帯状体５の目詰まりを防止する機能を発揮する。
【００３３】
以上の構成から成る排水構造体３におけるゴルフ場、公園若しくはスポーツ施設などの所定区域への施工について説明する。尚、本実施例では、所定区域として地表面に芝生が植生される緑地帯（植生区域）としてのゴルフ場に施工し、所望の水分を確保することで良好な芝の植生を達成しようとする場合であるが、緑地帯に限らず本実施例の特性を発揮する箇所（例えば人工的な環境保全や生態系自然復旧工事が行われる箇所など）であれば適宜施工し得るものである。
【００３４】
まず、緑地帯に排水構造体３を配設するに際し、該緑地帯における傾斜部位に該傾斜部位の傾斜方向へ縦凹溝（図示省略）を１本形成するとともに、傾斜部位の傾斜方向に対して横断する状態で横凹溝７を３本形成し、この縦凹溝に集水管８を埋設するとともに、横凹溝７に排水管１を埋設する。このようにして排水構造体３は、図２に図示したように緑地帯における傾斜部位に平面方向から見て碁盤の目のように配設される。
【００３５】
この排水構造体３の排水管１の埋設深さは、水分誘導部材２の面状部２Ｂの上縁が地表面と略面一となる状態となるように埋設される。
【００３６】
図４，５に図示したようにこの緑地帯における傾斜部位を流れる水分（余剰水）は、水分誘導部材２によって誘導されて各排水管１に導入され、この各排水管１から集水管８を介して集水枡部４へ集められることになる。
【００３７】
符号Ｗは排水不良箇所である。
【００３８】
本実施例は上述のように構成したから、前述した従来装置と異なり、例えば排水不良箇所Ｗを考慮せずに排水管１を配設するだけで良いから極めて施工面に秀れることになり、しかも、従来装置に比して管の本数や長さを可及的に減らすことができてコスト面にも秀れることになる。即ち、一々、排水不良箇所Ｗの位置を確認して排水管１を埋設するのではなく、傾斜だけを確知したら、その傾斜を考慮して排水管１を埋設するだけで良い為、それだけ施工が楽で且つ管の本数や長さを可及的に減らすことができる。
【００３９】
また、本実施例は、傾斜部位において流動する水を捕捉し易い構造であるため良好な排水が達成されることになる。即ち、地表面を流れる水分（余剰水）及び該地表面から所定深さ位置の地中を流れる水分（余剰水）を良好に捕捉することで土壌中の水分量をコントロールすることができ、よって、芝生の植生に適した良好な水分量を維持することができることになる。
【００４０】
また、本実施例は、排水管１は適宜間隔を介して並列状態に配設されているから、下方に流動（流下）してくる水分も確実に捕捉することができる。この点、排水不良箇所Ｗの位置に配設する従来装置は、下方に流下する水分を良好に捕捉できず、この点で広範囲を良好な水分量にコントロールすることは難しいが、本実施例においては、排水管１が並列状態である為、例えば上方の排水管１で捕捉されない水分は、下方の排水管１で捕捉される為、結果として広範囲にわたって水分量をコントロールし得ることになる。
【００４１】
また、本実施例は、排水管１には地中の水分及び地表面の水分を集水する面状の水分誘導部材２が立設されているから、それだけ地中の水分及び地表面の水分の良好な捕捉が達成され、更に、地表面の水分（余剰水）が良好に浸透しない土壌であっても（地表面に芝などの地被植物があると、より一層土壌の浸透性が悪い）、良好に排水することができることになる。
【００４２】
また、この水分誘導部材２の代わりに横凹溝７に砕石骨材を入れて水分の浸透性を高める方法もあるが、この砕石骨材の運搬は、積み込み機械の確保、人力荷卸し等、手間がかかり、材料ロスも大きくなり、更に、芝の上に砕石骨材をこぼしたりすると除石作業が増えてしまうなどの問題が生じてしまう。この点、本実施例は、水分誘導部材２は取扱い性が良好なのは勿論、合成樹脂製故に軽量であり、所望の位置での切断も可能であり、極めて施工性が良好である。
【００４３】
尚、本実施例は、傾斜勾配が３％以下の傾斜部位でも良好な排水機能を発揮することを確認している。
【図面の簡単な説明】
【００４４】
【図１】本実施例の施工状態説明図である。
【図２】本実施例に係る施工状態の概略説明図である。
【図３】本実施例に係る要部を説明する斜視図である。
【図４】本実施例の機能を説明する断面図である。
【図５】本実施例に係る要部の機能を説明する断面図である。
【図６】従来装置に係る施工状態の概略説明図である。
【符号の説明】
【００４５】
１  排水管
２  水分誘導部材
８  集水管
【図１】
2005200855.tif 000003
【図２】
2005200855.tif 000004
【図３】
2005200855.tif 000005
【図４】
2005200855.tif 000006
【図５】
2005200855.tif 000007
【図６】
2005200855.tif 000008